(57)【要約】【課題】  良好な眺望性と換気機能を備え、且つ内障子を開け放した状態で泥棒等の侵入を確実に阻止できる窓の提供。【解決手段】  窓枠１と、窓枠１内に設けた外障子２及び内障子３と、内障子３の室外側に配置され、竪枠４ａ側を支点に開閉自在に設けた通風性を有する侵入規制扉５と、侵入規制扉５を閉鎖状態にロックする錠６とを備え、錠６は、施解錠操作を行う操作部７が室内側に向けて設けてあり、内障子３を開けたときに内障子の戸先部８が錠の操作部７の室内側に重なる位置で内障子３が停止する状態と、その位置を越えてさらに内障子を開けられる状態とに切替可能である。【選択図】      図１−１
2010222956.tif 000002
【特許請求の範囲】
【請求項１】
窓枠と、窓枠内に設けた外障子及び内障子と、内障子の室外側に配置され、竪枠側を支点に開閉自在に設けた通風性を有する侵入規制扉と、侵入規制扉を閉鎖状態にロックする錠とを備え、錠は、施解錠操作を行う操作部が室内側に向けて設けてあり、内障子を開けたときに内障子の戸先部が錠の操作部の室内側に重なる位置で内障子が停止する状態と、その位置を越えてさらに内障子を開けられる状態とに切替可能であることを特徴とする窓。
【請求項２】
外障子の横幅が内障子の横幅よりも大きいことを特徴とする請求項１記載の窓。
【請求項３】
侵入規制扉は、中空部を有する戸先框を有し、中空部内に錠を内蔵していることを特徴とする請求項１又は２記載の窓。
【請求項４】
侵入規制扉は、戸先側に外障子の室外側に重なる重なり部を有することを特徴とする請求項１，２又は３記載の窓。
【請求項５】
侵入規制扉は、錠の操作部の側方に室内側に向けて突出する突出片を有することを特徴とする請求項１，２，３又は４記載の窓。
【請求項６】
内障子を開けたときに内障子の戸先部が錠の操作部の室内側に重なる位置で内障子を停止させるストッパーを有し、ストッパーは横枠に設けたベース部に着脱自在又は移動自在に設けてあることを特徴とする請求項１，２，３，４又は５記載の窓。
【請求項７】
窓枠内の左右両側に内障子と侵入規制扉を有することを特徴とする請求項１，２，３，４，５又は６記載の窓。
【請求項８】
窓枠内の左右両側に内障子と侵入規制扉を有し、左右の内障子のストッパーのためのベース部を一つで兼用したことを特徴とする請求項６記載の窓。
【発明の詳細な説明】
【技術分野】
【０００１】
本発明は、内障子を開けているときに泥棒等の侵入を阻止できる窓に関する。
【背景技術】
【０００２】
住宅の窓には、内障子と外障子を有するサッシが多用されているが、換気のために障子を開けていると泥棒等に侵入されるおそれがあり、これを防止するために窓の室外側に面格子を取付けると、窓の眺望性が損なわれる。
特許文献１，２には、内障子の室外側の位置に面格子を蝶番で開閉自在に取付け、面格子を閉鎖状態にロックする錠を備えたものが開示されている。
しかし特許文献１記載のものは、同文献の図３，６に示されているように、錠のつまみ２が外障子の召し合せ框から側方に突出しており、外障子のガラス越しにつまみ２が室外側から見えるため、ガラスを破壊してつまみ２が操作され、泥棒等に侵入されてしまうおそれがある。また、内障子を閉鎖しないとつまみ２が操作できないので、錠を解錠するためには内障子をいったん閉めなければならす、地震や火災等の緊急時の脱出の際に手間取るおそれがある。
特許文献２記載のものは、錠（錠機構４３）が面格子の戸先側の框の室内側に設けてあり、泥棒等が面格子の竪桟の間から手を入れ、錠を解錠されてしまうおそれがある。
【先行技術文献】
【特許文献】
【０００３】
【特許文献１】特開２００２−１３３６１号公報
【特許文献２】特開２００２−４７８７４号公報
【発明の概要】
【発明が解決しようとする課題】
【０００４】
本発明は以上に述べた実情に鑑み、良好な眺望性と換気機能を備え、且つ内障子を開け放した状態で泥棒等の侵入を確実に阻止できる窓の提供を目的とする。
【課題を解決するための手段】
【０００５】
上記の課題を達成するために請求項１記載の発明による窓は、窓枠と、窓枠内に設けた外障子及び内障子と、内障子の室外側に配置され、竪枠側を支点に開閉自在に設けた通風性を有する侵入規制扉と、侵入規制扉を閉鎖状態にロックする錠とを備え、錠は、施解錠操作を行う操作部が室内側に向けて設けてあり、内障子を開けたときに内障子の戸先部が錠の操作部の室内側に重なる位置で内障子が停止する状態と、その位置を越えてさらに内障子を開けられる状態とに切替可能であることを特徴とする。
【０００６】
請求項２記載の発明による窓は、請求項１記載の発明の構成に加え、外障子の横幅が内障子の横幅よりも大きいことを特徴とする。
【０００７】
請求項３記載の発明による窓は、請求項１又は２記載の発明の構成に加え、侵入規制扉は、中空部を有する戸先框を有し、中空部内に錠を内蔵していることを特徴とする。
【０００８】
請求項４記載の発明による窓は、請求項１，２又は３記載の発明の構成に加え、侵入規制扉は、戸先側に外障子の室外側に重なる重なり部を有することを特徴とする。
【０００９】
請求項５記載の発明による窓は、請求項１，２，３又は４記載の発明の構成に加え、侵入規制扉は、錠の操作部の側方に室内側に向けて突出する突出片を有することを特徴とする。
【００１０】
請求項６記載の発明による窓は、請求項１，２，３，４又は５記載の発明の構成に加え、内障子を開けたときに内障子の戸先部が錠の操作部の室内側に重なる位置で内障子を停止させるストッパーを有し、ストッパーは横枠に設けたベース部に着脱自在又は移動自在に設けてあることを特徴とする。なおストッパーは、スライド式に移動するものの他、室内外方向の軸や上下方向の軸回りに回動させて移動するものであってもよい。
【００１１】
請求項７記載の発明による窓は、請求項１，２，３，４，５又は６記載の発明の構成に加え、窓枠内の左右両側に内障子と侵入規制扉を有することを特徴とする。
【００１２】
請求項８記載の発明による窓は、請求項６記載の発明の構成に加え、窓枠内の左右両側に内障子と侵入規制扉を有し、左右の内障子のストッパーのためのベース部を一つで兼用したことを特徴とする。
【発明の効果】
【００１３】
請求項１記載の発明による窓は、侵入規制扉を閉鎖状態にロックする錠の操作部が室内側に向けて設けてあることで、泥棒等に錠のありかを悟られ難く、さらに、内障子を開けたときに内障子の戸先部が錠の操作部の室内側に重なる位置で内障子を停止させておくことで、室外側から解錠操作を行うことが不可能なため、内障子を開けた状態で高い防犯性を発揮できる。室内にいる人は、内障子をさらに開けることで錠の操作部を操作できる状態とすることができ、錠を解錠するために内障子をいちいち閉める必要がないので、緊急時の脱出の際に手間取らない。
【００１４】
請求項２記載の発明による窓は、外障子の横幅が内障子の横幅よりも大きいため、内障子の戸先部が錠の操作部の操作の邪魔にならない位置まで内障子を開けられるようにするのが容易である。
【００１５】
請求項３記載の発明による窓は、侵入規制扉に中空部を有する戸先框を有し、中空部内に錠を内蔵したので、錠の設置が容易に行えると共に、錠が破壊されるのを防止できる。
【００１６】
請求項４記載の発明による窓は、侵入規制扉の戸先側に外障子の室外側に重なる重なり部を有しているので、錠が重なり部により隠蔽され、錠のありかを悟られないようにできるとともに、外障子と侵入規制扉との間にバール等を差し込んで侵入規制扉がこじ開けられるのを防止できる。
【００１７】
請求項５記載の発明による窓は、侵入規制扉に、錠の操作部の側方に室内側に向けて突出する突出片を有するので、泥棒等による室外側からの操作部へのアクセスを防ぎ、防犯性を一層高められる。
【００１８】
請求項６記載の発明による窓は、横枠に設けたベース部に着脱自在又は移動自在に設けたストッパーにより、内障子を開けたときにその戸先部が錠の操作部の室内側に重なる位置で停止するようにしてあり、ストッパーは外障子の室内側に位置するため室外側からストッパーにアクセスすることができないので、泥棒等が室外側から錠を不正に解錠しようとするのを確実に制限できる。室内に居るユーザーは、ストッパーを取外すか移動させることで容易に解除でき、その上で内障子をさらに開けることで簡便に錠の操作部を操作できる状態とすることができる。
【００１９】
請求項７記載の発明による窓は、窓枠内の左右両側に内障子と侵入規制扉を有しているので、両側の内障子を開けることで換気効率を向上できる。
【００２０】
請求項８記載の発明による窓は、窓枠内の左右両側に内障子と侵入規制扉を有する場合に、左右の内障子のストッパーのためのベース部を一つで兼用したことで、ストッパー部の部品数を少なくできると共にコンパクトにできる。
【図面の簡単な説明】
【００２１】
【図１−１】本発明の窓の実施形態を示す室内側正面図であって、（ａ）は内障子を閉めた状態、（ｂ）は内障子をストッパーの位置まで開けた状態を示している。
【図１−２】本発明の窓の実施形態を示す室内側正面図であって、（ｃ）はストッパーを解除して内障子をさらに開け、面格子の錠を解錠するときの状態、（ｄ）は面格子を開けた状態を示している。
【図２】本発明の窓の縦断面図である。
【図３】本発明の窓の横断面図である。
【図４−１】本発明の窓の横断面図であって、（ａ）は内障子を閉めた状態、（ｂ）は内障子をストッパーの位置まで開けた状態を示している。
【図４−２】本発明の窓の横断面図であって、（ｃ）はストッパーを解除して内障子をさらに開け、面格子の錠を解錠するときの状態、（ｄ）は面格子を開けた状態を示している。
【図５】（ａ）は図４−１（ｂ）のＡ部の拡大図であり、（ｂ）は図４−２（ｃ）のＢ部の拡大図である。
【図６】（ａ）はストッパー部の構造を示す側面図であり、（ｂ）はストッパー部の平面図、（ｃ）はストッパー部の室内側正面図である。
【図７】ストッパー部の室内側正面図であって、（ａ）はストッパーを取外した状態、（ｂ）は取外したストッパーを反対側に取付けた状態、（ｃ）は左右両側にストッパーを取付けた状態を示す。
【図８】（ａ）は面格子の錠の構造を示す室内側正面図であり、（ｂ）は（ａ）のＡ−Ａ断面図である。
【図９】本発明の窓の他の実施形態を示す室内側正面図であって、（ａ）は内障子を閉めた状態、（ｂ）は内障子を開けた状態を示している。
【図１０】（ａ）はストッパー部の他の実施形態を示す平面図、（ｂ）は同ストッパー部の室内側正面図、（ｃ）は同ストッパー部の側面図である。
【図１１】（ａ）はストッパー部のさらに別の実施形態を示す平面図、（ｂ）は同ストッパー部の室内側正面図、（ｃ）は同ストッパー部の側面図である。
【図１２】（ａ）はストッパー部のさらに別の実施形態を示す平面図、（ｂ）は同ストッパー部のケースを外した状態の平面図、（ｃ）は（ａ）のＡ−Ａ断面図である。
【図１３】図１２（ａ）のＢ−Ｂ断面図である。
【図１４】図１２に示すストッパーを解除するときの手順を示す縦断面図である。
【発明を実施するための形態】
【００２２】
以下、本発明の実施形態を図面に基づいて説明する。図１〜８は、本発明の窓の一実施形態を示している。この窓は、図１〜４に示すように、躯体開口部１６に固定した窓枠１と、窓枠１内に取付けた外障子２及び内障子３と、内障子３の室外側に外障子２と面一状に設けた面格子５とを備え、図１−１（ｂ）と図４−１（ｂ）に示すように、換気のために内障子３を開けたときでも、面格子５により泥棒等の侵入を阻止できるようにしたものである。
【００２３】
窓枠１は、図１に示すように、上枠１７と下枠１４と左右の竪枠４ａ，４ｂを枠組みして構成してある。外障子２は、図１と図３に示すように、上框１８と下框１９と戸先框２０と召し合せ框２１とを四周框組みし、その内側にガラスパネル（複層ガラス）２２を嵌め込んで構成してある。内障子３は、図１と図３に示すように、上框２３と下框２４と戸先框８と召し合せ框２５とを四周框組みし、その内側にガラスパネル（複層ガラス）２６を嵌め込んで構成してある。外障子２は、内障子３の約２倍の横幅を有し、窓枠１内の室内側から見て左側の位置に配置してある（以下、単に「右側」、「左側」と記載したときには、室内側から見ての右側、左側を意味する。）。内障子３は、窓枠１内の右側の位置に配置され、図２に示すように、上枠１７及び下枠１４のレール２７，２８に沿って摺動自在に設けてある。内障子３は、図１，３に示すように、召し合せ框２５に取付けたクレセント２９により施錠される。
【００２４】
面格子５は、図２，３に示すように、上框３０と下框３１と吊元框３２と戸先框１０とを四周框組みし、上下框３０，３１間に竪桟３３を等間隔で架設してある。竪桟３３間の隙間は、女性の肘が通らない寸法（４５ｍｍ）になっている。面格子５は、図３に示すように、吊元框３２を蝶番３４で竪枠４ａに取付けてあり、火災等の緊急時に窓から脱出する際には、図４−２（ｄ）に示すように、竪枠４ａ側を支点に室外側に９０°回動して開くことができる。また面格子５は、竪桟３３の室内側の竪横框内周に網３５を張り、網戸を兼ねるものとしてある。各框３０，３１，３２，１０と竪桟３３は、アルミニウム合金の押出形材で形成してある。
【００２５】
面格子５の戸先框１０は、図３に示すように、矩形の筒状部３６を有し、その中空部１１内に面格子５を閉鎖状態にロックするための錠（グレモン錠）６を設けてある。錠６は、図３，８に示すように、室内側面に設けたフランス落とし式の操作レバー７と、操作レバー７の操作に連動して中空部１１内で上下にスライドするスライド部材３７と、筒状部３６の外周側見込み面に上下スライド自在に保持され、前記スライド部材３７と連結されたスライドバー３８と、スライドバー３８の上部と下部に突設したロックピン３９ａ，３９ｂとを有し、ロックピン３９ａ，３９ｂを外障子２の召し合せ框２１の外周側見込み面の上部と下部に取付けた受け金具４０ａ，４０ｂに係合することにより施錠される。操作レバー７を下向きに倒すと、スライド部材３７とスライドバー３８が上昇し、ロックピン３９ａ，３９ｂが受け金具４０ａ，４０ｂから抜け、面格子５を開ける状態になる。
戸先框１０は、図３に示すように、操作レバー７の側方に隣接するように、内周側に室内側に突出する突出片１３を有しており、この突出片１３により室外側からの操作レバー７へのアクセスを防止している。
また戸先框１０は、筒状部３６から外周側に延び、外障子２の召し合せ框２１の室外側に重なる重なり片１２を有している。重なり片１２の先端部にはタイト材４１が取付けてあり、タイト材４１が外障子２の召し合せ框２１の室外側面に当接している。この重なり片１２により、錠６のロックピン３９ａ，３９ｂと受け金具４０ａ，４０ｂが隠蔽されているため、泥棒等に錠６のありかを悟られるのを防止できると共に、バール等で面格子５をこじ開けようとする行為を防止できる。
吊元框３２は、外周側に延出する延出片４２を有し、延出片４２により蝶番３４を隠蔽している。
【００２６】
図１−１と図４−１に示すように、下枠１４上面の中間部には、内障子３の開く範囲を規制するストッパー９が取付けてある。図６に示すように、下枠１４上面の外障子用レール４３と内障子用レール２８の間には、ストッパー９を取付けるためのベース部１５が設けてある。ベース部１５は、基板１５ａと、基板１５ａ上に内障子用のレール２８の室外側面に当接するように設けた突部１５ｂを有し、基板１５ａをレール４３，２８間に嵌合するように配置し、ネジ４４で下枠１４に固定してある。突部１５ｂの左右側面には上下方向にアリ溝４５が形成してあり、基板１５ａの突部１５ｂの左右両側の位置にはストッパー位置決め用の孔４６が形成してある。ストッパー９は、硬質樹脂でブロック状に形成され、一側面に形成した係合部４７をベース部１５のアリ溝４５に上方から係合し、下面より突出した突起４８をベース部１５の孔４６に係合して、着脱自在に取付けてある。ベース部１５の突部１５ｂの上面には、ストッパー９を上方に引き抜く際にストッパー９をつまみやすくするため、凹部４９を形成してある。
【００２７】
本窓は、図１−１（ａ）と図４−１（ａ）に示すように、外障子２が窓枠１の横幅の略２／３のスペースを占めており、面格子５が内障子３の室外側のみに設置してあるため、外障子２により良好な眺望を確保できる。また図１−１（ｂ）と図４−１（ｂ）に示すように、内障子３を開けることで換気することができ、この状態で面格子５により泥棒等の侵入を阻止でき、且つ面格子５は網戸を兼ねているので、虫の侵入も防止できる。内障子３は、ストッパー９により停止し、このとき図５（ａ）に示すように、面格子５の錠６の操作レバー７の室内側に内障子３の戸先框８が重なるように位置しており、面格子５の竪桟３３の隙間から手を入れて操作レバー７を操作しようとしても、操作することができない。よって、泥棒等に面格子５の錠６を解錠されるおそれがない。錠６を解錠するときには、図７（ａ）に示すようにストッパー９を上方に引き抜いた上で、図１−２（ｃ）と図４−２（ｃ）に示すように、内障子３を左側に少し移動させる。すると図５（ｂ）に示すように、錠６の操作レバー７が室内側に露出するので、室内側から解錠操作を容易に行うことができる。なおストッパー９を取外したときでも、内障子３はベース部１５の突部１５ｂにより戸先框８が外障子２の召し合せ框２１の室内側に重なる位置で停止する。また取外したストッパー９は、図７（ｂ）に示すように、ベース部１５の突部１５ｂの左側に取付けておくことで、紛失を防止できる。その後、図１−２（ｄ）と図４−２（ｄ）に示すように、面格子５を室外側に押して開くことで、窓からの脱出が可能になる。
【００２８】
本窓は以上に述べたように、外障子２により良好な眺望性を確保できると共に、内障子３を開けることで換気が行え、内障子３を開けた状態で面格子５により泥棒等の侵入を阻止できる。内障子３を開けたときには、戸先框８が面格子５の錠６の操作レバー７の室内側に重なる位置で、内障子３がストッパー９により停止しているので、室外側から錠６を解錠操作されるおそれがなく、高い防犯性を発揮できる。火災等の緊急時に面格子５を開けたい場合には、ストッパー９を引き抜いて内障子３を開けるだけで解錠操作が行え、解錠したときには既に内障子３が開いた状態なので、後は面格子５を押して開くだけで速やかに脱出できる。
【００２９】
図１０は、ストッパー部の他の実施形態を示している。下枠１４に固定されるベース部１５には、アーム５１が室内外方向の軸５２で回動自在に取付けてあり、アーム５１の先端部にストッパー９が取付けてある。ストッパー９は、内部に室内側に向けて突設したピン５３をアーム５１先端部に形成した孔５４に係合し、室内外方向にスライド可能に設けてあり、且つピン５３の周囲に嵌めたスプリング５５により室外側に付勢してある。ストッパー９は、室外側面の上部と下部に係止部５６が突設してあり、係止部５６がベース部１５上面に設けた鉤状の被係止部５７に係止し、ストッパー９が固定されている。
ストッパー９の機能は、先に述べた着脱式のものと同様であり、内障子３を開けたときに、内障子３の戸先框８が錠６の操作レバー７の室内側に重なる位置で、内障子３がストッパー９に衝突して停止し、これにより錠６の解錠操作が不能となる。図１０（ｂ）に示すように、アーム５１の軸５２とストッパー９のピン５３の位置が上下にずれているため、ストッパー９に内障子３が衝突した際に、その衝撃によってストッパー９が持ち上がるのを防止できる。
錠６を解錠する際には、ストッパー９を指で室内側に少し動かして係止部５６を被係止部５７から外した後、図中に仮想線で示すように、アーム５１をストッパー９ごと軸５２回りに１８０°回動させる。するとストッパー９がベース部１５上の左側に移動し、係止部５６がベース部１５の反対側の被係止部５７に係止し、ストッパー９が解除された状態で固定される。本実施形態によれば、ストッパー９がベース部１５にアーム５１で繋がっているため、ストッパー９を紛失するおそれがない。
【００３０】
図１１は、ストッパー部のさらに別の実施形態を示しており、ストッパー９をアーム５１を介して垂直方向の軸５２回りに室内側を水平回動させることにより、左右に移動できるようにしたものである。ストッパー９は、スプリング５５により下方に付勢されており、下面に突設した係止部５６がベース部１５上面の被係止部５７に係止している。ストッパー９を解除するときには、ストッパー９を上方に少し持ち上げ、図中に仮想線で示すように、アーム５１をストッパー９ごと軸５２回りに室内側から１８０°回動させて、左側に移動させる。
【００３１】
図１２，１３は、ストッパー部のさらに別の実施形態を示しており、ストッパー９を左右方向にスライド可能に設けたものである。ベース部１５はケース１５ａと、ケース１５ａ内に設けたガイドレール１５ｂとで構成してある。ガイドレール１５ｂは、上方に開口したガイド溝５７が左右方向に形成してあり、その途中の左右２箇所に開口幅が広くなったスライド規制部５８ａ，５８ｂを設けてある。ストッパー９は、上面に設けた突部５９をケース１５ａ上面に形成した左右方向の長孔６０から突出させ、スプリング５５により上方に付勢してある。またストッパー９は、図１２（ｃ）と図１３に示すように、上下方向の中間部にくびれ部６１を有し、ストッパー下部６２がガイドレール１５ｂの右側のスライド規制部５８ａに嵌合し、スライドが規制されている。
内障子を開けると、ストッパー９のケース１５ａから突出した突部５９に内障子３の戸尻部が衝突し、内障子３の戸先框８が錠６の操作レバー７の室内側に重なる位置で内障子３が停止し、これにより錠６の解錠操作が不能となる。
ストッパー９を解除するときには、図１４（ａ）に示すように、ストッパー９を指で押し下げ、するとストッパー下部６２がスライド規制部５８ａの下方に抜けるので、図１４（ｂ）に示すように、続けてストッパー９を左方向にスライドさせる。長孔６０の端までストッパー９をスライドさせて指を離すと、図１４（ｃ）に示すように、ストッパー９がスプリング５５の付勢力で上方に移動し、ストッパー下部６２が左側のスライド規制部５８ｂに嵌合し、ストッパー９が解除された状態で固定される。本実施形態によれば、ストッパー９を利かせたり解除したりする操作がより簡便に行え、しかもストッパー９を紛失するおそれがない。
【００３２】
外障子２は、窓枠１に固定してあってもよいが、面格子５を開けたときに上枠１７と下枠１４のレール５０，４３（図２参照）に沿って右側にスライドして開けれるようにすることもできる。外障子２の幅を内障子３と略同じにすることもできる。
【００３３】
図９は、本発明の窓の他の実施形態であって、窓枠１内の左右両側に内障子３と面格子５を設置したものである。この場合には、図７（ｃ）に示すように、ベース部１５の突部１５ｂの左右両側にストッパー９，９を取付ける。この実施形態によれば、図９（ｂ）に示すように、左右の内障子３，３を同時に開けることで、一層効率の良い換気が行える。内障子３を開けたときには、戸先框８が面格子５の錠６の操作レバー７の室内側に重なる位置でストッパー９により停止しているので、室外側から錠６を解錠操作されるおそれがない。
【００３４】
本発明は以上に述べた実施形態に限定されない。侵入規制扉は、通風性を備え、開口部からの出入りを規制できるものであればよく、実施形態に示したような面格子の他、竪横框で形成した枠内にガラリ、パンチングメタル、金網等を取付けたものであってもよい。また侵入規制扉は、折戸状のものや伸縮門扉のように伸縮するものであってもよい。錠の操作部は、回転式やスライド式のツマミとすることもできるが、実施形態に示したフランス落とし式の操作レバーを用いた場合には、施錠状態で操作レバーが錠ケースから突出せず、尚且つ解錠操作時には室内側に突出するため、内障子の戸先框により解錠操作を確実に阻止できるので、より好ましい。内障子を開けたときに内障子の戸先部が錠の操作部の室内側に重なる位置で内障子を停止させる手段は、必ずしも下枠に取付けたストッパーによらなくてもよい。またストッパーを上枠や外障子等に設置することもできる。ストッパー及びベース部の形態は任意であり、ストッパーを解除することで、ストッパーが内障子走行レール上から退避し、内障子がレール上を走行自在となるものでもよい。
【符号の説明】
【００３５】
１  窓枠
２  外障子
３  内障子
４ａ，４ｂ  竪枠
５  面格子（侵入規制扉）
６  錠
７  操作レバー（操作部）
８  内障子の戸先框（戸先部）
９  ストッパー
１０  面格子の戸先框
１１  中空部
１２  重なり片（重なり部）
１３  突出片
１４  下枠（横枠）
１５  ベース部
【図１−１】
2010222956.tif 000003
【図１−２】
2010222956.tif 000004
【図２】
2010222956.tif 000005
【図３】
2010222956.tif 000006
【図４−１】
2010222956.tif 000007
【図４−２】
2010222956.tif 000008
【図５】
2010222956.tif 000009
【図６】
2010222956.tif 000010
【図７】
2010222956.tif 000011
【図８】
2010222956.tif 000012
【図９】
2010222956.tif 000013
【図１０】
2010222956.tif 000014
【図１１】
2010222956.tif 000015
【図１２】
2010222956.tif 000016
【図１３】
2010222956.tif 000017
【図１４】
2010222956.tif 000018